(57)【特許請求の範囲】
【請求項１】
前壁(1)、対向する側壁(2)、後壁(3)及び底壁(20)を備え、後壁(3)の上端に広告表示用の蓋板(8)を連設し、蓋板(8)の中間部に蓋折線(10)を入れて、蓋板(8)に後板部(11)及び前板部(12)を形成し、展示時に、開いた蓋板(8)を蓋折線(10)沿いに折り曲げて、起立状態に保持する包装展示兼用箱において、２本の蓋折線(10)を、両端側が接近し、中間側が離反する円弧状として、蓋折線(10)間に頂板部(13)を形成し、後板部(11)及び前板部(12)に跨がる中切線(14)間に２本の中折線(15)を入れ、各中折線(15)をそれぞれ蓋板(8)の基端側及び先端側へ膨出した蓋折線(10)に対し前板部(12)の方向へずらして、中切線(14)と中折線(15)に囲まれた頂片部(16)を形成し、蓋板(8)の蓋折線(10)に沿った折り曲げに伴い、頂板部(13)が湾曲し、頂片部(16)は、蓋折線(10)と中折線(15)のずれにより、前半部分が頂板部(13)より窪み、後半部分が頂板部(13)から突出する状態となって、前上方へ傾斜するようにしたことを特徴とする包装展示兼用箱。
【発明の詳細な説明】
【技術分野】
【０００１】
この発明は、蓋板を開いて広告表示に使用する包装展示兼用箱に関するものである。
【背景技術】
【０００２】
従来、下記特許文献１には、図５に示すように、前壁５１、対向する側壁５２、後壁５３及び底壁５４を備え、後壁５３の上端に広告表示に使用する蓋板５５を連設し、蓋板５５の中間部に直線の蓋折線５６を１本入れて、蓋板５５に後板部５７及び前板部５８を形成し、店頭での商品展示時に、開いた蓋板５５を蓋折線５６沿いに折り曲げて、起立状態に保持する包装展示兼用箱が記載されている。
【０００３】
この箱では、展示時に前板部５８を消費者から見やすいように少し前上方へ傾斜させ、前板部５８の先端に連設した折曲片５９を後方へ折り曲げ、折曲片５９の先端に連設した差込片６０を、側壁５２の上端から延びる蓋受片６３と後壁５３との間に差し込んで、前板部５８の傾斜角度を維持するようにしている。
【０００４】
また、前板部５８には、蓋折線５６の位置から半円弧状の中切線６１を入れて、中片部６２を形成し、展示時に中片部６２を押し込んで、前板部５８と中片部６２の間に段差を生じさせ、これにより、視覚的に変化を与えて、注視性を高めるようにしている。
【先行技術文献】
【特許文献】
【０００５】
【特許文献１】実開昭５６−３２０２８号公報
【発明の概要】
【発明が解決しようとする課題】
【０００６】
しかしながら、上記のような包装展示兼用箱では、展示時に消費者から見える前板部５８及び中片部６２が平面的であり、その段差も常識的な範囲のものであるため、際立った訴求力が得られないという問題がある。
【０００７】
そこで、この発明は、包装展示兼用箱の展示時における消費者への訴求力を一段と向上させることを課題とする。
【課題を解決するための手段】
【０００８】
上記のような課題を解決するため、この発明は、前壁、対向する側壁、後壁及び底壁を備え、後壁の上端に広告表示用の蓋板を連設し、蓋板の中間部に蓋折線を入れて、蓋板に後板部及び前板部を形成し、展示時に、開いた蓋板を蓋折線沿いに折り曲げて、起立状態に保持する包装展示兼用箱において、２本の蓋折線を、両端側が接近し、中間側が離反する円弧状として、蓋折線間に頂板部を形成し、後板部及び前板部に跨がる中切線間に２本の中折線を入れ、各中折線をそれぞれ蓋板の基端側及び先端側へ膨出した蓋折線に対し前板部の方向へずらして、中切線と中折線に囲まれた頂片部を形成し、蓋板の蓋折線に沿った折り曲げに伴い、頂板部が湾曲し、頂片部は、蓋折線と中折線のずれにより、前半部分が頂板部より窪み、後半部分が頂板部から突出する状態となって、前上方へ傾斜するようにしたのである。
【発明の効果】
【０００９】
この発明に係る包装展示兼用箱では、展示時に蓋板を蓋折線に沿って折り曲げると、湾曲した頂板部の中間部分で、頂片部が前上方へ傾斜した状態となるので、三次元的な立体感のある展示状態とすることができ、頂片部に強調したいデザインを施して、高い訴求力を得ることができる。
【図面の簡単な説明】
【００１０】
【図１】この発明の第１実施形態に係る包装展示兼用箱のブランクを示す図
【図２】同上の包装状態を示す斜視図
【図３】同上の展示状態を示す斜視図
【図４】同上の第２実施形態に係る包装展示兼用箱の展示状態を示す斜視図
【図５】従来の包装展示兼用箱の展示状態を示す斜視図
【発明を実施するための形態】
【００１１】
以下、この発明の実施形態を添付図面に基づいて説明する。
【００１２】
図１に示す第１実施形態の段ボールブランクでは、前壁１の両側に側壁２が連設され、一方の側壁２には、前壁１の反対側に後壁３及び継代片４が順次連設されている。前壁１及び後壁３の下端には底板５が、側壁２の下端には底板６がそれぞれ連設されている。側壁２の上端には蓋受片７が、後壁３の上端には蓋板８がそれぞれ連設され、蓋板８の先端には、差込片９が連設されている。
【００１３】
蓋板８の中間部には、両側縁間に亘って２本の蓋折線１０が入れられ、これらの蓋折線１０は、両端側が接近し、中間側が離反する円弧状とされている。
【００１４】
蓋板８の基端からその方向へ膨出した蓋折線１０までの部分は後板部１１とされ、蓋板８の先端からその方向へ膨出した蓋折線１０までの部分は前板部１２とされている。蓋板８の２本の蓋折線１０に挟まれた部分は頂板部１３とされている。
【００１５】
後板部１１及び前板部１２に跨がった２本の中切線１４間には、２本の中折線１５が入れられ、各中折線１５は、それぞれ蓋板８の基端側及び先端側へ膨出した蓋折線１０に対し前板部１２の方向へずらされて、中切線１４と中折線１５に囲まれた部分には、頂片部１６が形成されている。
【００１６】
後壁３の上部には、展示時に差込片９を差し込む切込１７が入れられている。一方の側壁２から前壁１を経て他方の側壁２にかけては、鉤状の切目が断続するジッパ型の切目線１８が前下がりに入れられている。また、前壁１の上端縁中央部には、指入れ用の切欠部１９が設けられている。
【００１７】
このようなブランクを組み立てて商品を包装するには、図２に示すように、前壁１、一対の側壁２及び後壁３を角筒状に折り曲げ、継代片４を他方の側壁２に貼り付けて、周壁を形成し、各一対の底板５，６を重ね合わせ、対向する底板５同士を噛み合わせて、底壁２０を形成する。
【００１８】
そして、箱内に商品を収納し、蓋受片７を内側へ折り曲げ、蓋板８を閉じて蓋受片７に重ね、差込片９を前壁１と蓋受片７の間に差し込む。
【００１９】
一方、この包装展示兼用箱により商品を展示する際には、切欠部１９に指を入れて差込片９を引き上げ、図３に示すように、蓋板８を開き、２本の蓋折線１０に沿って折り曲げると共に、切目線１８を切断し、一方の側壁２から前壁１を経て他方の側壁２にかけて、切目線１８より上方の部分を除去する。
【００２０】
このとき、蓋板８の折り曲げに伴い、頂板部１３は、中央側が窪む凹形状に湾曲し、頂片部１６は、蓋折線１０と中折線１５とのずれにより、前半部分が頂板部１３より窪み、後半部分が頂板部１３から突出するように、前上方へ傾斜する。
【００２１】
そして、上方へ向かう後板部１１と、下方へ向かう前板部１２とを重ねた状態で、差込片９を切込１７に差し込むと、蓋板８は、起立状態に保持される。
【００２２】
上記のような包装展示兼用箱では、展示時に蓋板８を蓋折線１０に沿って折り曲げることにより、湾曲した頂板部１３の中間部分で、頂片部１６が前上方へ傾斜した状態となるので、三次元的な立体感のある展示状態とすることができ、頂片部１６に強調したいデザインの印刷を施すと、そのデザインが目立ち、高い訴求力を得ることができる。また、頂板部１３を告知に活用することもできる。
【００２３】
また、２本の中切線１４の間隔を変更して、強調したいデザインに応じ、頂片部１６の幅を適宜設定することができる。
【００２４】
さらに、図４に示す第２実施形態のように、２本の中切線１４を曲線とし、頂板部１３と頂片部１６とを曲線に縁取られた形状で統一することにより、調和のとれたデザインとすることもできる。
【００２６】
また、前壁１、対向する側壁２及び後壁３が四角筒状の周壁を形成するものを例示したが、側壁２が各側それぞれ鈍角をなす複数面から構成され、周壁が六角筒状や八角筒状となる箱についても、同様の構成を採用することができる。
【符号の説明】
【００２７】
１  前壁
２  側壁
３  後壁
４  継代片
５，６  底板
７  蓋受片
８  蓋板
９  差込片
１０  蓋折線
１１  後板部
１２  前板部
１３  頂板部
１４  中切線
１５  中折線
１６  頂片部
１７  切込
１８  切目線
１９  切欠部
２０  底壁
【図１】
0005613024.tif 000002
【図２】
0005613024.tif 000003
【図３】
0005613024.tif 000004
【図４】
0005613024.tif 000005
【図５】
0005613024.tif 000006